(57)【要約】      （修正有）【課題】乱視検査を、眼鏡等の処方に反映できる自覚式検眼装置、検眼システムを提供する。【解決手段】自覚式検眼装置は、レンズを備え、球面度数を生成する球面度数生成部と、光学系上に配置され２つの円柱レンズを有する乱視要素生成部と、制御部とを備え、制御部は、球面度数、乱視度数、乱視軸の矯正値に基づいた矯正位置にレンズを配置している状態で、矯正値に対して、乱視検査のためのクロスシリンダ度数及びクロスシリンダの軸角度４５°、９０°、１３５°、１８０°に応じて合成した合成矯正値を算出しＳ２０、合成矯正値に基づいた合成矯正位置に、レンズを、球面度数生成部及び乱視要素生成部を制御して配置しＳ３０、検眼結果を受け付けてＳ４０、矯正値を補正した新矯正値を算出するＳ５０。【選択図】図４
2015009087.tif 000002
【特許請求の範囲】
【請求項１】
球面度数生成レンズ群を備え、球面度数を生成する球面度数生成部と、
光軸上に配置され乱視生成レンズ群を形成しクロスシリンダを形成する２つの円柱レンズの配置角度を独立して変更して、乱視度数、乱視軸を生成する乱視要素生成部と、
制御部とを備え、
前記制御部は、
球面度数、乱視度数、乱視軸の矯正値に基づいた矯正位置に前記球面度数生成レンズ群及び前記乱視生成レンズ群を配置している状態で、前記矯正値に対して、乱視検査のためのクロスシリンダ度数及び前記クロスシリンダの軸角度を合成した合成矯正値を算出する合成矯正値算出処理と、
前記合成矯正値算出処理で算出した前記合成矯正値に基づいた合成矯正位置に、前記乱視生成レンズ群を、前記乱視要素生成部を制御して配置する合成矯正位置配置処理と、
前記合成矯正位置配置処理による検眼結果を受け付けて、前記矯正値を補正した新矯正値を算出する新矯正値算出処理とを行うこと、
を特徴とする自覚式検眼装置。
【請求項２】
請求項１に記載の自覚式検眼装置において、
前記制御部は、
前記合成矯正値算出処理において、乱視検査のための前記クロスシリンダの軸角度として４５°，９０°，１３５°，１８０°を用いて、前記合成矯正値を算出すること、
を特徴とする自覚式検眼装置。
【請求項３】
請求項１又は請求項２に記載の自覚式検眼装置において、
前記制御部は、前記合成矯正位置配置処理において、乱視検査のための前記クロスシリンダの前記各軸角度に対応した前記合成矯正位置に、前記乱視生成レンズ群を配置すること、
を特徴とする自覚式検眼装置。
【請求項４】
請求項３に記載の自覚式検眼装置において、
前記制御部は、
前記合成矯正位置配置処理において、
前記各軸角度に対応した前記各合成矯正位置に配置した前記乱視生成レンズ群を、前記矯正値に対応した位置に戻す乱視生成レンズ群戻し処理を行い、
前記乱視生成レンズ群戻し処理で戻した前記乱視生成レンズ群に対して、他の前記軸角度に対応した他の前記合成矯正位置に配置すること、
を特徴とする自覚式検眼装置。
【請求項５】
請求項４に記載の自覚式検眼装置において、
前記制御部は、
前記合成矯正位置配置処理において、前記各軸角度の各検査結果の入力を受け付ける検査結果受け付け処理を行い、
前記検査結果受け付け処理で受け付けた各検査結果に応じて、前記新矯正値算出処理を行うこと、かつ、前記合成矯正位置配置処理を中止して前記他の前記軸角度の前記合成矯正位置配置処理を行わないこと、
を特徴とする自覚式検眼装置。
【請求項６】
請求項１から請求項５のいずれかに記載の自覚式検眼装置において、
前記制御部は、前記新矯正値に基づいた新矯正位置に、前記球面度数生成レンズ群及び前記乱視生成レンズ群を、前記球面度数生成部及び前記乱視要素生成部を制御して配置すること、
を特徴とする自覚式検眼装置。
【請求項７】
請求項１から請求項６のいずれかに記載の自覚式検眼装置と、
前記矯正値を取得する検査装置と、
を備える検眼システム。
【発明の詳細な説明】
【技術分野】
【０００１】
本発明は、自覚式検眼装置、検眼システムに関するものである。
【背景技術】
【０００２】
従来、２つの円柱レンズを検眼光学系の光軸回り回転させ、クロスシリンダを生成することが可能な光学系を備え、乱視検査を行う検眼装置があった（例えば特許文献１）。
しかし、従来装置は、乱視検査ができるものの、この乱視検査を、眼鏡等の処方に十分に反映できていなかった。
【先行技術文献】
【特許文献】
【０００３】
【特許文献１】特許第２９１１８１１号公報
【発明の概要】
【発明が解決しようとする課題】
【０００４】
本発明の課題は、乱視検査を、眼鏡等の処方に十分に反映できる自覚式検眼装置、検眼システムを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、
球面度数生成レンズ群（Ｌ１〜Ｌ３）を備え、球面度数を生成する球面度数生成部（３０）と、
光軸上に配置され乱視生成レンズ群を形成しクロスシリンダを形成する２つの円柱レンズ（Ｌ４，Ｌ５）の配置角度を独立して変更して、乱視度数、乱視軸を生成する乱視要素生成部（５０）と、
制御部（７１）とを備え、
前記制御部は、
球面度数、乱視度数、乱視軸の矯正値（Ｒ）に基づいた矯正位置に前記球面度数生成レンズ群及び前記乱視生成レンズ群を配置している状態で、前記矯正値に対して、乱視検査のためのクロスシリンダ度数及び前記クロスシリンダの軸角度を合成した合成矯正値を算出する合成矯正値算出処理（Ｓ２０）と、
前記合成矯正値算出処理で算出した前記合成矯正値に基づいた合成矯正位置に、前記乱視生成レンズ群を、前記乱視要素生成部を制御して配置する合成矯正位置配置処理（Ｓ３０）と、
前記合成矯正位置配置処理による検眼結果を受け付けて、前記矯正値を補正した新矯正値を算出する新矯正値算出処理（Ｓ５０）とを行うこと、
を特徴とする自覚式検眼装置である。
・第２の発明は、
第１の発明の自覚式検眼装置において、
前記制御部（７１）は、
前記合成矯正値算出処理（Ｓ２０）において、乱視検査のための前記クロスシリンダの軸角度として４５°，９０°，１３５°，１８０°を用いて、前記合成矯正値を算出すること、
を特徴とする自覚式検眼装置である。
・第３の発明は、
第１又は第２の発明の自覚式検眼装置において、
前記制御部（７１）は、前記合成矯正位置配置処理（Ｓ３０）において、乱視検査のための前記クロスシリンダの前記各軸角度に対応した前記合成矯正位置に、前記乱視生成レンズ群（Ｌ４，Ｌ５）を配置すること、
を特徴とする自覚式検眼装置である。
・第４の発明は、
第３の発明の自覚式検眼装置において、
前記制御部（７１）は、
前記合成矯正位置配置処理（Ｓ３０）において、
前記各軸角度に対応した前記各合成矯正位置に配置した前記乱視生成レンズ群（Ｌ４，Ｌ５）を、前記矯正値に対応した位置に戻す乱視生成レンズ群戻し処理を行い（Ｓ３１ｄ，Ｓ３２ｄ，Ｓ３３ｄ，Ｓ３４ｄ）、
前記乱視生成レンズ群戻し処理で戻した前記乱視生成レンズ群に対して、他の前記軸角度に対応した他の前記合成矯正位置に配置すること、
を特徴とする自覚式検眼装置である。
・第５の発明は、
第４の発明の自覚式検眼装置において、
前記制御部（７１）は、
前記合成矯正位置配置処理（Ｓ３０）において、前記各軸角度の各検査結果の入力を受け付ける検査結果受け付け処理を行い（Ｓ３１ｂ，Ｓ３１ｃ，Ｓ３２ｂ，Ｓ３２ｃ，Ｓ３３ｂ，Ｓ３３ｃ，Ｓ３４ｂ，Ｓ３４ｃ）、
前記検査結果受け付け処理で受け付けた各検査結果に応じて、前記新矯正値算出処理を行うこと（Ｓ４０）、かつ、前記合成矯正位置配置処理を中止して前記他の前記軸角度の前記合成矯正位置配置処理を行わないこと、
を特徴とする自覚式検眼装置である。
・第６の発明は、
第１から第５のいずれかの発明の自覚式検眼装置において、
前記制御部（７１）は、前記新矯正値（Ｒ’）に基づいた新矯正位置に、前記球面度数生成レンズ群（Ｌ１〜Ｌ３）及び前記乱視生成レンズ群（Ｌ４，Ｌ５）を、前記球面度数生成部（３０）及び前記乱視要素生成部（５０）を制御して配置すること、
を特徴とする自覚式検眼装置である。
・第７の発明は、
第１から第６のいずれかの発明の自覚式検眼装置（１）と、
前記矯正値を取得する検査装置（８０）と、
を備える検眼システムである。
【発明の効果】
【０００７】
本発明によれば、以下の効果を奏することができる。
・第１の発明は、矯正位置に配置したレンズ群を、乱視検査のための乱視度数及び乱視軸の軸角度を反映した合成矯正位置に配置し、さらに、検眼結果を受け付けて、矯正値を補正した新矯正値を算出する。これにより、例えば、通常の自覚式検眼検査後に、より正確な乱視検査を行うことができ、かつ、自覚式検眼検査の矯正値から新矯正値の算出までを一連の工程で行うことができる。
また、２つの円柱レンズを独立して円柱レンズの配置角度を独立して変更するので、レンズ自体を交換する方式に比較して、静かに駆動できる。
・第２、第３の発明は、乱視検査のためのクロスシリンダの軸角度として４５°，９０°，１３５°，１８０°を用いるので、これらの軸角度を反映した乱視検査を行うことができる。
・第４の発明は、各合成矯正位置に配置した乱視生成レンズ群を、矯正値に対応した位置に戻してから、他の軸角度に対応した他の合成矯正位置に配置する。このため、被検者は、矯正値での視標の見え具合と、各軸角度での視標の見え具合を判定すればよいので、正確かつ迅速に乱視検査を行うことができる
・第５の発明は、検査結果に応じて、新矯正値算出処理を行い、かつ、合成矯正位置配置処理を中止する。このため、乱視軸の軸角度を順次変更するように形態でも、乱視生成レンズ群を駆動する形態でも、その軸角度がよく見えるような検査結果であった場合には、新矯正値算出処理を行い、かつ、他の軸角度の合成矯正位置配置処理を中止できる。これにより、迅速に検査できる。
・第６の発明は、処方値である新矯正値に基づいた新矯正位置に、球面度数生成レンズ群及び乱視生成レンズ群を配置するので、処方される眼鏡の矯正状態を再現できる。
・第７の発明は、矯正値を取得する検査装置を備えるので、検査装置で取得した矯正値を利用して、乱視検査を行うことができる。
【図面の簡単な説明】
【０００８】
【図１】実施形態の検眼装置システムの構成を説明する図である。
【図２】実施形態の自覚式測定部２０ＬのレンズＬ１〜Ｌ５の構成を説明する斜視図である。
【図３】実施形態の自覚式測定部２０Ｌの構成を説明する光軸Ｏを通る面で切断した断面図である。
【図４】実施形態の自覚式検眼装置１の精密乱視検査の処理を示すフローチャートである。
【図５】実施形態の自覚式検眼装置１の合成矯正位置配置処理を示すフローチャートである。
【図６】実施形態のクロスシリンダの軸角度ＡＸ．Ｃ．の各角度におけるイメージ図である。
【図７】実施形態の乱視検眼結果に基づいて、新矯正値Ｒ’を算出する態様を説明する表である。
【発明を実施するための形態】
【０００９】
（実施形態）
以下、図面等を参照して、本発明の実施形態について説明する。
図１は、実施形態の検眼装置システムの構成を説明する図である。
実施形態の検眼装置システムは、自覚式検眼装置１、他覚式検眼装置８０を備える。
自覚式検眼装置１は、検者が被検者に対して、自覚式検眼を行う検眼装置である。
自覚式検眼装置１は、ケース２、操作部１０（１１〜１３）、手持操作装置１２、卓上操作装置１３、表示装置１４、自覚式測定部２０Ｌ，２０Ｒ、記憶部７０、制御部７１を備える。
【００１０】
ケース２は、自覚式検眼装置１の筐体である。
操作部１０（１１〜１３）は、検者が自覚式検眼装置１を操作するための装置である。自覚式検眼装置１は、操作部１０として、操作ボタン１１、手持操作装置１２、卓上操作装置１３を備える。
操作ボタン１１は、ケース２に設けられている。
手持操作装置１２は、操作ボタンを備える。手持操作装置１２は、操作情報を赤外線で自覚式検眼装置１の本体に赤外線受信部１２ａに向けて送信する。
卓上操作装置１３及び自覚式検眼装置１の本体間は、通信ケーブル１３ａで接続されている。卓上操作装置１３は、複数の操作ボタン、表示装置１３ｂを備える。卓上操作装置１３は、通信ケーブル１３ａを介して操作情報を自覚式検眼装置１の本体に送信し、また、表示装置１３ｂの表示情報を自覚式検眼装置１の本体から受信する。
【００１１】
表示装置１４は、液晶表示装置等の表示部である。後述するように、表示装置１４は、自覚式検眼における矯正値等の情報を表示する。
なお、以下の説明では、矯正値等の情報は、表示装置１４に表示する形態を説明するが、前述した卓上操作装置１３の表示装置１３ｂも、これらの情報を表示できる。
【００１２】
自覚式測定部２０Ｌ，２０Ｒは、被検者の検眼するための部分である。自覚式測定部２０Ｌは、左眼の測定を行うための部分であり、また、自覚式測定部２０Ｒは、右眼の測定を行うための部分である。自覚式測定部２０Ｌ，２０Ｒの構成は、後述する。
記憶部７０は、自覚式検眼装置１の動作に必要なプログラム、情報等を記憶するためのハードディスク、半導体メモリ素子等の記憶装置である。記憶部７０は、後述する処理に必要な演算式、テーブル等を記憶する。記憶部７０は、テーブルとして、図５に示す表等を記憶する。
【００１３】
制御部７１は、自覚式検眼装置１を統括的に制御するための演算装置、制御装置であり、例えば、ＣＰＵ等から構成される。
制御部７１は、記憶部７０に記憶された各種プログラムを適宜読み出して実行することにより、前述したハードウェアと協働し、本発明に係る各種機能を実現している。
【００１４】
図２は、実施形態の自覚式測定部２０ＬのレンズＬ１〜Ｌ５の構成を説明する斜視図である。
図３は、実施形態の自覚式測定部２０Ｌの構成を説明する光軸Ｏを通る面で切断した断面図である。
自覚式測定部２０Ｌは、矯正値、つまり、球面度数、乱視度数、乱視軸の軸角度に応じて検眼光学系のレンズＬ１〜Ｌ５（レンズ群）を駆動して、自覚式検眼検査に必要な位置に配置する部分である。
以下、左眼Ｐ用の自覚式測定部２０Ｌについて説明するが、右眼用の自覚式測定部２０Ｒも同様な構成である。
【００１５】
自覚式測定部２０Ｌは、球面度数生成部３０、乱視要素生成部５０を備える。球面度数生成部３０、乱視要素生成部５０は、制御部７１によって制御される。
球面度数生成部３０は、レンズＬ１〜Ｌ３（球面度数生成レンズ群）の組み合わせによって、検査に必要な球面度数を生成し、また変更する部分である。
球面度数生成部３０は、レンズＬ１〜Ｌ３、円盤３１〜３３、駆動部４１〜４３備える。
円盤３１は、中心軸ＣＬが同軸になるように、ケース２内に支持されている。
円盤３１は、球面度数を生成するための複数のレンズＬ１を、同一円周上に配置した円盤である。レンズＬ１は、それぞれ屈折力が異なっている。
円盤３１は、中心軸ＣＬを中心に回転可能に支持されている（矢印θ１参照）。
円盤３２，３３は、円盤３１と同様な部材であり、それぞれ複数のレンズＬ２，Ｌ３を配置し、中心軸ＣＬを中心に回転可能に支持されている（矢印θ２，θ３参照）。
駆動部４１〜４３は、円盤３１〜３３をそれぞれ独立して回転するための駆動装置である。駆動部４１〜４３は、パルスモータ等を備える。
【００１６】
乱視要素生成部５０は、検査に必要な乱視度数、乱視軸の軸角度を生成し、また変更する部分である。
乱視要素生成部５０は、２枚の円柱レンズＬ４，Ｌ５（乱視生成レンズ群）、円柱レンズ保持枠５１，５２、外筒５３、駆動部６１，６２を備える。
円柱レンズＬ４，Ｌ５は、検眼光学系の光軸Ｏ上に配置されている。円柱レンズＬ５は、凸レンズであり、一方、円柱レンズＬ４は、凹レンズである。円柱レンズＬ４，Ｌ５は、軸が互いに直交し、かつ、屈折力の絶対値が等しい。円柱レンズＬ４，Ｌ５は、相対位置が変更されることにより、乱視度数、乱視軸の軸角度を生成し、また変更する。
さらに、乱視要素生成部５０は、特許文献１の検眼装置のように、クロスシリンダを生成することが可能である。
【００１７】
円柱レンズ保持枠５１は、円柱レンズＬ４を保持する枠体である。
円柱レンズ保持枠５２は、円柱レンズＬ５を保持する枠体である。
外筒５３は、円柱レンズ保持枠５１，５２を、独立して光軸Ｏ回りに回転可能に支持する筒体である（矢印θ４，θ５参照）。これにより、円柱レンズＬ４，Ｌ５は、相対位置が変更される。
【００１８】
このように、円柱レンズ保持枠５１，５２が、外筒５３に独立して支持されるので、円柱レンズＬ４，Ｌ５は、互いに独立して回転することができる。また、円柱レンズ保持枠５１，５２は、同期して回転することにより、必要に応じて光軸Ｏ回りに一体で回転することができる。
【００１９】
駆動部６１は、円柱レンズ保持枠５１を、光軸Ｏ回りに回転駆動する駆動装置である。駆動部６１は、パルスモータ等を備える。
駆動部６２は、円柱レンズ保持枠５２を、光軸Ｏ回りに回転駆動する駆動装置である。駆動部６２は、駆動部６１と同様な装置である。
【００２０】
上記構成により、自覚式測定部２０Ｌは、各駆動部を制御して、以下のように検眼光学系を制御できる。
・円盤３１を中心軸ＣＬ回りに回転駆動して、複数のレンズＬ１のうち１つを光軸Ｏ上に配置する。円盤３２，３３についても同様に、複数のレンズＬ２，Ｌ３のうちそれぞれ１つを光軸Ｏ上に配置する。これにより、検眼光学系の所望の球面度数を生成する。
・円柱レンズ保持枠５１，５２を光軸Ｏ回りに独立して回転駆動して、円柱レンズＬ４，Ｌ５を光軸Ｏ回りの所望の回転位置に配置する。これにより、検眼光学系の所望の乱視度数を生成し、かつ、所望の乱視軸の軸角度を生成する。
・円柱レンズ保持枠５１，５２を光軸Ｏ回りに同期して回転駆動して、円柱レンズＬ４，Ｌ５を一体で光軸Ｏ回りに回転できる。これにより、球面度数、乱視度数を維持しながら、乱視軸の軸角度のみを変更できる。
・円柱レンズＬ４，Ｌ５を光軸Ｏ回りに回転駆動するので、レンズを交換する方式に比較して、静かに駆動できる。
【００２１】
なお、球面度数生成部３０、乱視要素生成部５０を用いて所望の球面度数、乱視度数、乱視軸の軸角度を生成するための演算式等は、特許公報（登録第２９１１８１１号）に記載されているものを用いることができる。
【００２２】
他覚式検眼装置８０は、他覚式検眼の機能を有する。他覚式検眼装置８０としては、特許公報（第４１７３２９６号）に記載されたものを利用できる。
他覚式検眼装置８０は、他覚式測定部８１を備える。
他覚式測定部８１は、被検眼を他覚式検眼するための部分である。他覚式測定部８１は、他覚式検眼するための検眼光学系、視標、チョッパ等を備える。
他覚式検眼装置８０は、左右の被検眼の測定として、眼調節機能の他に、球面度数、乱視度数、乱視軸、瞳孔間距離、加入度（ＡＤＤ）等の測定を行うことができる。他覚式検眼装置８０の検眼結果には、これらの測定情報が含まれる。
他覚式検眼装置８０の検眼結果は、半導体記憶装置等を備えるＵＳＢメモリや、通信ケーブル等を用いて、自覚式検眼装置１の記憶部７０に移動したりコピーできる。
【００２３】
（精密乱視検査の手順）
実施形態の検査手順、自覚式検眼装置１の動作について説明する。
図４は、実施形態の自覚式検眼装置１の精密乱視検査の処理を示すフローチャートである。
図５は、実施形態の自覚式検眼装置１の合成矯正位置配置処理を示すフローチャートである。
図６は、実施形態のクロスシリンダの軸角度ＡＸ．Ｃ．の各角度におけるイメージ図である。
図７は、実施形態の乱視検眼結果に基づいて、新矯正値Ｒ’を算出する態様を説明する表である。
以下の説明は、自覚式測定部２０Ｌを用いて左眼Ｐを検査する例をするが、同様な処理によって、自覚式測定部２０Ｒを用いて右眼の検査を行うことができる。
精密乱視検査を行う前提として、他覚式検眼装置８０の検眼結果を、記憶部７０に記憶しているものとする。また、その記憶部７０に記憶した検眼結果に基づいて、自覚式検眼装置１で検眼光学系を生成し、自覚式検眼装置１において、ＲＧ（レッド  グリーン）検査を行うことにより、球面度数の矯正を終了していることとする。
ＲＧ検査終了時点（つまり精密乱視検査開始時点）での矯正値Ｒの各処方値の内容を、その時点での乱視軸の軸角度（精密乱視検査で追加されるクロスシリンダの軸角度ＡＸ．Ｃ＝０°）を基準として、以下の通りとする。
【００２４】
・矯正値Ｒ
球面度数Ｓ（０°）＝Ｓ
乱視度数Ｃ（０°）＝Ｃ
乱視軸の軸角度Ａ（０°）＝α
矯正値Ｒの情報は、表示装置１４に表示される。
【００２５】
Ｓ１０において、制御部７１は、精密乱視検査をするための操作を、操作部１０から受け付ける。
制御部７１は、操作部１０の操作を受け付けて、精密乱視検査を行うモードに移行する。
Ｓ２０において、制御部７１は、合成矯正値算出処理を行う。
合成矯正値算出処理は、矯正値Ｒに基づいた矯正位置にレンズＬ１〜Ｌ５を配置している状態で、矯正値Ｒに対して、精密乱視検査のためのクロスシリンダ度数及びクロスシリンダの軸角度を合成した合成矯正値を算出する処理である。
円柱レンズＬ４，Ｌ５で生成するクロスシリンダ度数は、通常、ＣＸ．Ｃ．＝０．２５Ｄ（ディオプタ）、０．５Ｄのいずれかを用いる。実施形態では、ＣＸ．Ｃ．＝０．５Ｄを用いる。
追加するクロスシリンダの軸角度は、ＡＸ．Ｃ．＝４５°、９０°、１３５°、１８０°である。
以下の説明おいて、クロスシリンダの各軸角度における合成矯正値を、（Ｓ４５°、Ｃ４５°、α４５°）、（Ｓ９０°、Ｃ９０°、α９０°）、（Ｓ１３５°、Ｃ１３５°、α１３５°）、（Ｓ１８０°、Ｃ１８０°、α１８０°）という。各合成矯正値は、以下のように算出する。
【００２６】
［合成矯正値（Ｓ４５°、Ｃ４５°、α４５°）：ＡＸ．Ｃ．＝４５°］
ＡＸ．Ｃ．＝０°（つまり、Ａ＝α）の状態から、円柱レンズＬ４，Ｌ５によって新たに生成され追加される球面度数、乱視度数及び乱視軸の軸角度は、以下で表すことができる。
球面度数：Ｓ＝ＣＸ．Ｃ．
乱視度数：Ｃ＝−２ＣＸ．Ｃ．
【００２７】
合成矯正値（Ｓ４５°、Ｃ４５°、α４５°）は、精密乱視検査開始時点での矯正値Ｒに対して、ＡＸ．Ｃ．＝４５°における円柱レンズＬ４，Ｌ５によって生成されるＳ＝ＣＸ．Ｃ．、Ｃ＝−２ＣＸ．Ｃ．を合成すればよい。制御部７１は、合成矯正値Ｓ４５°、Ｃ４５°、α４５°を、以下の算出式を用いて算出する。
【００２８】
【数１】
2015009087.tif 000003
【００２９】
［合成矯正値（Ｓ９０°、Ｃ９０°、α９０°）、（Ｓ１３５°、Ｃ１３５°、α１３５°）、（Ｓ１８０°、Ｃ１８０°、α１８０°）の算出］
制御部７１は、合成矯正値（Ｓ９０°、Ｃ９０°、α９０°）、（Ｓ１３５°、Ｃ１３５°、α１３５°）、（Ｓ１８０°、Ｃ１８０°、α１８０°）についても、以下の算出式を適用して、算出する。
【００３０】
【数２】
2015009087.tif 000004
【００３１】
【数３】
2015009087.tif 000005
【００３２】
【数４】
2015009087.tif 000006
【００３３】
Ｓ３０（Ｓ３１〜３４）において、制御部７１は、合成矯正位置配置処理を行う。
合成矯正位置配置処理は、合成矯正位置を算出し、乱視要素生成部５０を制御して、円柱レンズＬ４，Ｌ５を、算出した合成矯正位置に配置する処理である。
合成矯正位置とは、球面度数Ｓ（０°）に対して、合成矯正値を反映したレンズＬ４，Ｌ５の位置である。例えば、ＡＸ．Ｃ．＝４５であれば、Ｓ（０°）に対して、合成矯正値Ｓ４５°を反映したレンズＬ４，Ｌ５の配置である。
制御部７１は、以下のように、クロスシリンダの軸角度ＡＸ．Ｃ．＝４５°→０°→９０°→０°→１３５°→０°→１８０°に順次変更するように、レンズＬ４，Ｌ５を駆動する。
【００３４】
図６（Ａ）に示すように、ＡＸ．Ｃ．＝０°の状態は、被検眼に対して、矯正値Ｒに対応した眼鏡８５が装着された状態と同様である。
図６（Ｂ）に示すように、ＡＸ．Ｃ．＝４５°の状態は、被検眼に対して、矯正値Ｒに対応した眼鏡８５が装着された状態で、さらに、クロスシリンダレンズ８６をＡＸ．Ｃ．＝４５°になるように、眼鏡８５の手前側に配置された状態と同様である。
図６（Ｂ）の状態と同様に、図６（Ｃ）から図６（Ｅ）に示すように、ＡＸ．Ｃ．＝９０°，１３５°，１８０°の状態は、クロスシリンダレンズ８６をＡＸ．Ｃ．＝９０°，１３５°，１８０°になるように、眼鏡８５の手前側に配置された状態と同様である。なお、検者は、クロスシリンダレンズ８６を、表裏反対にしたり、光軸回りに回転させながら、かつ、目印の位置を確認しながら、眼鏡８５の手前側に配置すればよい。
【００３５】
検者は、精密乱視検査開始時のＳ（０°）の状態から、操作部１０を操作することにより、乱視軸の軸角度をＡＸ．Ｃ．＝４５°に変更できる。
図５に示すように、Ｓ３１ａにおいて、制御部７１は、操作部１０の操作に応じて、乱視要素生成部５０を制御して、合成矯正値Ｓ４５°に基づいた合成矯正位置に、レンズＬ４，Ｌ５を配置する。つまり、制御部７１は、合成矯正値Ｓ４５°、Ｃ４５°、α４５°になるように円柱レンズＬ４，Ｌ５の配置角度及び相対角度を変更する。
この状態は、図６（Ｂ）の状態と同様である。但し、図６（Ｂ）の乱視要素は、眼鏡８５のレンズ及びクロスシリンダレンズ８６によって生成されるのに対して、自覚式検眼装置１の乱視要素は、レンズＬ４，Ｌ５のみによって生成される。
【００３６】
検者は、被検者に対して、指標の見え方が下記３つから選択するように、問診する。
・ＡＸ．Ｃ．＝０°がよく見える
・ＡＸ．Ｃ．＝４５°がよく見える
・ＡＸ．Ｃ．＝０°、４５°が同じく見える
また、制御部７１は、軸角度ＡＸ．Ｃ．＝４５°の状態において、検者に対して、問診の結果、つまり検査結果を下記３つから選択するように、促す画面（図示せず）を、表示装置１４に表示する。検眼結果は、例えば、項目の内容を表示部に表示して、操作部１０で選択できるようにすればよい。
・項目１に該当する
・項目５に該当する
・項目１、項目５のいずれも該当しない
各項目は、上記問診の内容、図７に示す表に対応したものである。図７に示す表については、後述する。
検者は、操作部１０を操作して、上記３つのなかから検査結果を選択して、入力する。
【００３７】
Ｓ３１ｂ，Ｓ３１ｃにおいて、制御部７１は、検査結果の入力を受け付ける（検査結果受け付け処理）。
制御部７１は、検査結果の入力が「項目１に該当する」であった場合（Ｓ３１ｂ：ＹＥＳ）、又は「項目５に該当する」であった場合（Ｓ３１ｃ：ＹＥＳ）には、メイン処理のＳ４０に進む。一方、制御部７１は、検査結果の入力が「項目１、項目５のいずれも該当しない」であった場合（Ｓ３１ｂ：ＮＯ、かつ、Ｓ３１ｃ：ＮＯ）には、Ｓ３１ｄに進む。
Ｓ３１ｄにおいて、制御部７１は、乱視要素生成部５０を制御して、円柱レンズＬ４，Ｌ５を、矯正値Ｒに対応した位置、つまり、ＡＸ．Ｃ．＝０°に対応した位置に戻す処理である乱視生成レンズ群戻し処理を行う。制御部７１は、この処理の後、Ｓ３２ａに進む。
【００３８】
上記処理により、検査結果が「項目１、項目５のいずれも該当しない」場合には（Ｓ３１ｂ：ＮＯ、かつ、Ｓ３１ｃ：ＮＯ）には、制御部７１は、Ｓ３２ａ以降に進んで、軸角度ＡＸ．Ｃ．＝４５°とは異なる他の軸角度ＡＸ．Ｃ．＝９０°以降の処理を行う。
一方、検査結果が「項目１に該当する」場合（Ｓ３１ｂ：ＹＥＳ）、又は「項目５に該当する」場合（Ｓ３１ｃ：ＹＥＳ）には、制御部７１は、他の軸角度９０°の処理を行わない。つまり、この場合には、制御部７１は、合成矯正位置配置処理を中止して、他の軸角度ＡＸ．Ｃ．＝９０°以降の合成矯正位置配置処理を行わずに、Ｓ４０に進む。
【００３９】
Ｓ３２ａにおいて、制御部７１は、Ｓ３１ａと同様に、乱視要素生成部５０を制御して、ＡＸ．Ｃ．＝９０°である合成矯正値Ｓ９０°、Ｃ９０°、α９０°に基づいた合成矯正位置に、円柱レンズＬ４，Ｌ５を配置する。
検者は、ＡＸ．Ｃ．＝９０°の場合にもＡＸ．Ｃ．＝４５°の場合と同様に、図７に示す表のうちＡＸ．Ｃ．＝９０°に対応した項目２、項目６に関する問診を、被検者に対して行い、操作部１０を操作して、検査結果を入力する。
【００４０】
制御部７１は、ＡＸ．Ｃ．＝４５°の場合と同様に、検査結果の入力が「項目２に該当する」であった場合（Ｓ３２ｂ：ＹＥＳ）、又は「項目６に該当する」であった場合（Ｓ３２ｃ：ＹＥＳ）には、メイン処理のＳ４０に進む。
一方、制御部７１は、検査結果の入力が「項目２、項目６のいずれも該当しない」であった場合（Ｓ３２ｂ：ＮＯ、かつ、Ｓ３２ｃ：ＮＯ）には、Ｓ３２ｄに進んで、乱視生成レンズ群戻し処理を行う。つまり、制御部７１は、他の軸角度ＡＸ．Ｃ．＝１３５°以降の合成矯正位置配置処理を行わずに、Ｓ４０に進む。
【００４１】
Ｓ３３ａ〜Ｓ３３ｄ、Ｓ３４ａ〜Ｓ３４ｄの処理も、Ｓ３１ａ〜Ｓ３１ｄと同様である。
つまり、Ｓ３３ａ〜Ｓ３３ｄにおいて、制御部７１は、軸角度ＡＸ．Ｃ．＝１３５°の合成正値（Ｓ１３５°、Ｃ１３５°、α１３５°）に基づいて、円柱レンズＬ４，Ｌ５を駆動する。また、図７に示す表の項目３、項目７に基づいて、検査結果の入力を受け付ける。
Ｓ３４ａ〜Ｓ３４ｄにおいて、制御部７１は、軸角度ＡＸ．Ｃ．＝１８０°の合成矯正値（Ｓ１８０°、Ｃ１８０°、α１８０°）に基づいて、円柱レンズＬ４，Ｌ５を駆動する。また、図７に示す表の項目３、項目７に基づいて、検査結果の入力を受け付ける。
なお、検査結果が「項目２、項目６のいずれも該当しない」場合（Ｓ３２ｂ：ＮＯ→Ｓ３２ｃ：ＮＯ）には、被検眼は、ＡＸ．Ｃ．＝０°である矯正値Ｒの状態が、最もよく見えることになる。そこで、制御部７１は、この場合には、表９のうち項目０を選択して、Ｓ４０に進む。
【００４２】
なお、Ｓ３０の処理では、制御部７１は、合成矯正値Ｓ４５°、Ｃ４５°、α４５°に対応する処方値を、表示装置１４に表示し、現在の角度が分かるようにするのが望ましい。
【００４３】
Ｓ４０において、制御部７１は、Ｓ３０の検査結果に基づいて、新矯正値算出処理を行う。新矯正値算出処理は、精密乱視検査前の矯正値Ｒに対して、精密乱視検査の検眼結果の選択を反映して補正して、新たな矯正値である新矯正値Ｒ’を算出する処理である。
【００４４】
制御部７１は、各検査結果に基づいて、図７の表を参照する。
図７の表の列９１の各項目の内容は、以下の通りである。
・項目０：ＡＸ．Ｃ．＝０°がよく見える
・項目１〜４：ＡＸ．Ｃ．＝４５°，９０°，１３５°，１８０°のうちいずれかがよく見える
・項目５〜８：ＡＸ．Ｃ．＝０°と、ＡＸ．Ｃ．＝４５°，９０°，１３５°，１８０°のうちいずれかとが同じように見える
【００４５】
また、列９２に示すように、各項目では、被検眼及び矯正値Ｒにおける検眼光学系の関係は、以下の状態になっている。
・項目０：適正である
・項目１〜４：ＡＸ．Ｃ．＝４５°，９０°，１３５°，１８０°の乱視軸がそれぞれ未矯正である
・項目５〜８：ＡＸ．Ｃ．＝４５°，９０°，１３５°，１８０°の乱視軸がそれぞれ未矯正である
【００４６】
列９２に示すように、制御部７１は、各項目において、新矯正値Ｒ’を以下のように算出する。
項目０：新矯正値Ｒ’＝矯正値Ｒ
項目１〜４：矯正値Ｒに対して、それぞれＡＸ．Ｃ．＝４５°，９０°，１３５°，１８０°の各成分を加える
項目５〜８：ＡＸ．Ｃ．＝０°と、矯正値Ｒに対して、それぞれＡＸ．Ｃ．＝４５°，９０°，１３５°，１８０°の各成分の半分を加える
なお、この成分とは、クロスシリンダで新たに追加した乱視成分（乱視度数、乱視軸の軸角度）をいう。
【００４７】
詳細な算出式は、省略するが、例えば、精密乱視検査前において、
矯正値Ｒ「Ｓ＝−２．２５Ｄ、Ｃ＝−１．００Ｄ、Ａ＝１６０°」
である場合に、項目４「ＡＸ．Ｃ．＝１８０°の乱視軸がよく見える」が適用された場合には、制御部７１は、
新矯正値Ｒ’「Ｓ＝−１．７５Ｄ、Ｃ＝−２．００Ｄ、Ａ＝１６９°」
と算出する。
同様に、項目８「ＡＸ．Ｃ．＝０°、１８０°が同じように見える」が適用された場合には、制御部７１は、
新矯正値Ｒ’「Ｓ＝−２．００Ｄ、Ｃ＝−１．５０Ｄ、Ａ＝１６６°」
と算出する。
制御部７１は、新矯正値Ｒ’の内容を、表示装置１４に表示する。
【００４８】
ここで、検者は、操作部１０を操作することにより、レンズＬ１〜Ｌ５を新矯正値Ｒ’に対応した位置に配置するか、又は検眼を終了するかを選択できる。
Ｓ５０において、制御部７１は、レンズＬ１〜Ｌ５を新矯正値Ｒ’に対応した位置に配置する操作を受け付けた場合には（Ｓ５０：ＹＥＳ）、Ｓ６０に進み、一方、これを行わずに検眼を終了する操作を受け付けた場合には（Ｓ５０：ＮＯ）、Ｓ７０に進む。
【００４９】
Ｓ６０において、制御部７１は、新矯正値Ｒ’に基づいた新矯正位置に、レンズＬ１〜Ｌ５を、球面度数生成部３０及び乱視要素生成部５０を制御して配置する。
これにより、自覚式検眼装置１は、処方される眼鏡の矯正状態を再現できる。
Ｓ７０において、制御部７１は、一連の処理を終了する。
【００５０】
次に、上記処理の特徴を説明する。
上記処理では、円柱レンズＬ４，Ｌ５で新たに乱視度数を生成すると、円柱レンズＬ４，Ｌ５によって球面度数も新たに生成されてしまう。実施形態では、この新たに生成される球面度数の補正が不要である。
この理由を、軸角度ＡＸ．Ｃ．＝０°である矯正値Ｒ（Ｓ、Ｃ、α）の状態から、軸角度ＡＸ．Ｃ．＝４５°を生成する場合を説明する。
【００５１】
ＡＸ．Ｃ．＝４５°の場合に、円柱レンズＬ４，Ｌ５のみによって生成される球面度数は、
ＣＸ．Ｃ．／２−Ｃ４５°／２
で表せることが技術的に分かっている。つまり、円柱レンズＬ４，Ｌ５のみによって生成される球面度数は、新たに追加する乱視度数の半分（ＣＸ．Ｃ．／２）から、ＡＸ．Ｃ．＝４５°における合成矯正値の乱視度数成分の半分（Ｃ４５°／２）を減算して求めることができる。
従って、ＡＸ．Ｃ．＝４５°の場合に、レンズＬ１〜Ｌ３と、円柱レンズＬ４，Ｌ５とによって生成される球面度数Ｓ４５°は、以下で表すことができる。
【００５２】
【数５】
2015009087.tif 000007
【００５３】
この球面度数Ｓ４５°は、合成矯正値算出処理（Ｓ２０）で算出した合成矯正値の球面度数Ｓ４５°と一致する。
このため、自覚式検眼装置１は、円柱レンズＬ４，Ｌ５によって新たに生成された球面度数を、レンズＬ１〜Ｌ３によって補正することなく、乱視検査を行うことができる。また、自覚式検眼装置１は、精密乱視検査における球面度数を、被検眼に適合したものにできるので、正確な検査をすることができる。
【００５４】
ところで、従来装置は、検者のコントローラ操作により、クロスシリンダレンズを反転させ、つまり、クロスシリンダレンズの軸を９０度回転させ、その反転前後での視標のぼやけ具合を比較してもらう。検者は、視標のぼやけ具合に応じて、検査窓に配置される乱視レンズを調整する。そして、検者は、クロスシリンダレンズの反転前後で、被検者の視標の見え方が同程度に見えるように、乱視度数及び乱視軸の決定をする。
【００５５】
しかし、従来装置では、クロスシリンダレンズの反転前後で視標のぼやけ具合を比較するため、被検者の比較が曖昧になる場合があった。
また、クロスシリンダレンズの反転の切換えのタイミングは、検者本意であった。そのため、被検者は、クロスシリンダレンズの反転に追いつけない場合があった。
さらに、クロスシリンダレンズを反転することにより、球面度数も不適切になってしまう。
このため、従来装置では、乱視検査が不正確になる場合があった。
また、反転前後での被検者の比較判断が曖昧である場合には、検者は、反転操作を繰り返し行い、被検者は、比較判断を繰り返す必要がある。このため、従来装置は、検者と被検者双方にとって手間であり、検査時間が長くなってしまう。
【００５６】
これに対して、自覚式検眼装置１では、被検者は、軸角度ＡＸ．Ｃ．＝０°と軸角度ＡＸ．Ｃ．＝４５°等とにおいて、視標のぼやけ具合を比較するのではなく、どちら軸角度の方が視標がよく見えるかを比較すればよい。
また、自覚式検眼装置１では、クロスシリンダレンズの反転に相当する動作は、装置が自動で行うので、切換え時間のばらつきを少なくできる。
さらに、前述した通り、軸角度ＡＸ．Ｃ．＝４５°等の場合でも、球面度数を被検眼に適したものにできる。
このため、被検者は、比較判断が正確にできるので、比較判断を繰り返すような場面を少なくできる。自覚式検眼装置１は、正確かつ迅速に乱視検査を行うことができる。
【００５７】
なお、他覚式検眼装置８０で通常の乱視検査を行った後に、さらに上記処理を適用した精密乱視検査を行ってもよい。
また、実施形態では、検眼情報として、他覚式検眼装置８０の検査結果を用いる例を示したが、他の装置から取得してもよい。例えば、検者が既に使用している眼鏡のレンズデータを測定するレンズメータの測定情報を、検眼情報として用いてもよい。
【００５８】
ここで、他覚式検眼装置８０やレンズメータからの処方値、又は自覚式検眼装置１による処方値で乱視度数がゼロであっても、実際には、乱視が存在することがある。これは、例えば、以下の理由による。
・他覚式検眼装置８０からの検眼情報は、測定誤差等を含んでしまう場合がある、
・検者等は、他覚式検眼装置８０の測定誤差等を含んだ検眼情報を用いて眼鏡を作成してしまう場合がある。この場合には、この眼鏡を測定したレンズメータの処方値は、他覚検装置の測定誤差等を含んでしまう。
・検者が、自覚式検眼装置１の検眼に不慣れであったりすると、乱視の存在に気が付かない場合がある。この場合には、自覚式検眼装置１の処方値は、測定誤差等を含んでしまう。
【００５９】
これらの処方値によって作製された眼鏡は、はっきり見えなかったり、疲れやすいものになってしまう。
この場合には、他覚式検眼装置８０、レンズメータ等からの処方値、自覚式検眼装置１による処方値を、矯正値Ｒ（０）として利用する。そして、上記処理と同様に、自覚検眼装置にレンズを装填し、クロスシリンダの軸角度として４５°、９０°、１３５°、１８０°を用いて、検眼することにより乱視を発見し、新処方値を得ることができる。
【００６０】
以上説明したように、実施形態の自覚式検眼装置１は、正確な精密乱視検査を行うことができる。また、矯正値Ｒから新矯正値Ｒ’の算出までを一連の工程で行い、新矯正値Ｒ’を眼鏡等の処方に反映できる。
また、自覚式検眼装置１は、他覚式検眼装置８０からの検眼情報を利用するので、正確で迅速な乱視検査をすることができる。
【００６１】
以上、本発明の実施形態について説明したが、本発明は前述した実施形態に限定されるものではなく、種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。
【符号の説明】
【００６２】
Ｐ  左眼
１  自覚式検眼装置
１１  操作ボタン
１２  手持操作装置
１３  卓上操作装置
１４  表示装置
２０Ｌ，２０Ｒ  自覚式測定部
３０  球面度数生成部
３１〜３３  円盤
４１，４２，６１，６２  駆動部
５０  乱視要素生成部
５１，５２  円柱レンズ保持枠
５３  外筒
７０  記憶部
７１  制御部
Ｌ１〜Ｌ３  レンズ
Ｌ４，Ｌ５  円柱レンズ
【図１】
2015009087.tif 000008
【図２】
2015009087.tif 000009
【図３】
2015009087.tif 000010
【図４】
2015009087.tif 000011
【図５】
2015009087.tif 000012
【図６】
2015009087.tif 000013
【図７】
2015009087.tif 000014